(57)【要約】【課題】移動機からの不正な位置登録要求に基づいた通信を防止する。【解決手段】通信制御装置であるＨＳＳ／ＨＬＲ１０は、移動機を特定する情報と、位置登録したエリアを管轄する交換機を特定する情報と、を対応付けて記憶する位置登録情報記憶部１３と、移動機に係る位置登録要求信号を交換機から受信する位置登録要求受信部である通信部１１と、交換機に対して移動機に係る認証を指示する認証指示部、及び、位置登録要求信号に基づいて位置登録処理を実施する位置登録処理部としての位置登録処理部１２と、通信部１１が交換機から移動機に係る認証が失敗した旨を示す信号を受信した際に、認証が失敗した旨を示す信号に対応する移動機に対応して位置登録要求信号を送信した交換機を特定する情報が記憶されている場合に、移動機に係る位置登録に係る情報を消去する位置登録情報消去部としての在圏判断部１４及び在圏消去処理部１５と、を有する。【選択図】図１
2018129591.tif 000002
【特許請求の範囲】
【請求項１】
移動機を特定する情報と、当該移動機が位置登録したエリアを管轄する交換機を特定する情報と、を移動機毎に対応付けて記憶する位置登録情報記憶部と、
移動機を特定する情報が含まれ、当該移動機に係る位置登録要求信号を交換機から受信する位置登録要求受信部と、
前記位置登録要求信号を送信した前記交換機に対して、前記移動機に係る認証を指示する認証指示部と、
前記位置登録要求信号に基づいて位置登録処理を実施し、前記位置登録情報記憶部に記憶される情報を更新する位置登録処理部と、
前記認証指示部による指示に対して、前記交換機から前記移動機に係る認証が失敗した旨を示す信号を受信する認証結果受信部と、
前記位置登録情報記憶部を参照し、前記認証結果受信部が受信した認証が失敗した旨を示す信号に対応する前記移動機を特定する情報に対応付けられている位置登録したエリアを管轄する交換機を特定する情報として、前記位置登録要求信号を送信した前記交換機を特定する情報が記憶されている場合に、前記移動機に係る位置登録に係る情報を消去する位置登録情報消去部と、
を含む通信制御装置。
【請求項２】
移動機を特定する情報と、当該移動機が位置登録したエリアを管轄する交換機を特定する情報と、を移動機毎に対応付けて記憶する位置登録情報記憶部と、
移動機を特定する情報が含まれ、当該移動機に係る位置登録要求信号を交換機から受信する位置登録要求受信部と、
前記位置登録要求信号に基づいて位置登録処理を実施し、前記位置登録情報記憶部に記憶される情報を更新する位置登録処理部と、
前記位置登録情報記憶部を参照し、前記位置登録要求信号に含まれる前記移動機を特定する情報に対応付けられている位置登録したエリアを管轄する交換機を特定する情報として、前記位置登録要求信号を送信した前記交換機とは異なる交換機を特定する情報が記憶されている場合に、前記位置登録情報記憶部において記憶されている情報に基づいて特定される交換機に対して前記移動機へのページングを指示するページング処理部と、
前記移動機へのページングを指示した交換機から、前記ページングに対して前記移動機からの応答があったことを示す信号を受信した場合に、前記位置登録処理部における前記位置登録要求信号に基づいた前記移動機に係る位置登録処理を中止する位置登録処理中止部と、
を含む通信制御装置。
【発明の詳細な説明】
【技術分野】
【０００１】
本発明は、通信制御装置に関する。
【背景技術】
【０００２】
ユーザが移動通信端末を使用する場合、移動通信端末はネットワーク側に対して位置登録要求を送信し、ネットワーク側では、当該移動通信端末に係る認証処理を行った後に位置登録処理を行う。これに対して、正規の移動通信端末とは異なる通信端末から不正な位置登録要求が送信される場合があるため、ネットワーク側では不正な位置登録要求を検出するための種々の手法が検討されている（例えば、特許文献１）。
【先行技術文献】
【特許文献】
【０００３】
【特許文献１】特開２０１０−２６３４２６号公報
【発明の概要】
【発明が解決しようとする課題】
【０００４】
しかしながら、近年、これまで検討されていた手法では検出できない方法を用いて、不正な位置登録要求が送信される場合があり、不正な位置登録要求を検出するためのさらなる手法が求められている。
【０００５】
本発明は上記を鑑みてなされたものであり、移動機からの不正な位置登録要求に基づいた通信を防止することが可能な通信制御装置を提供することを目的とする。
【課題を解決するための手段】
【０００６】
上記目的を達成するため、本発明の一形態に係る通信制御装置は、移動機を特定する情報と、当該移動機が位置登録したエリアを管轄する交換機を特定する情報と、を移動機毎に対応付けて記憶する位置登録情報記憶部と、移動機を特定する情報が含まれ、当該移動機に係る位置登録要求信号を交換機から受信する位置登録要求受信部と、前記位置登録要求信号を送信した前記交換機に対して、前記移動機に係る認証を指示する認証指示部と、前記位置登録要求信号に基づいて位置登録処理を実施し、前記位置登録情報記憶部に記憶される情報を更新する位置登録処理部と、前記認証指示部による指示に対して、前記交換機から前記移動機に係る認証が失敗した旨を示す信号を受信する認証結果受信部と、前記位置登録情報記憶部を参照し、前記認証結果受信部が受信した認証が失敗した旨を示す信号に対応する前記移動機を特定する情報に対応付けられている位置登録したエリアを管轄する交換機を特定する情報として、前記位置登録要求信号を送信した前記交換機を特定する情報が記憶されている場合に、前記移動機に係る位置登録に係る情報を消去する位置登録情報消去部と、を含む。
【０００７】
上記の通信制御装置によれば、移動機に係る認証が失敗したことを示す信号を受信した際に、当該移動機が認証を失敗したことを示す信号を送信した交換機に対応するエリアに在圏するか否かを判断し、移動機が当該エリアに在圏している場合には、移動機に係る位置登録情報を消去する構成とされている。通信制御装置が上記のような構成を備えることで、不正な位置登録要求に基づいて、移動機の位置登録処理が進められてしまった場合でも、当該移動機に係る認証が失敗したことを示す信号の受信を契機として、位置登録に係る情報を消去することが可能となるため、不正な位置登録処理による移動機の通信接続が継続されることを防ぐことが可能となる。
【０００８】
また、本発明の一形態に係る通信制御装置は、移動機を特定する情報と、当該移動機が位置登録したエリアを管轄する交換機を特定する情報と、を移動機毎に対応付けて記憶する位置登録情報記憶部と、移動機を特定する情報が含まれ、当該移動機に係る位置登録要求信号を交換機から受信する位置登録要求受信部と、前記位置登録要求信号に基づいて位置登録処理を実施し、前記位置登録情報記憶部に記憶される情報を更新する位置登録処理部と、前記位置登録情報記憶部を参照し、前記位置登録要求信号に含まれる前記移動機を特定する情報に対応付けられている位置登録したエリアを管轄する交換機を特定する情報として、前記位置登録要求信号を送信した前記交換機とは異なる交換機を特定する情報が記憶されている場合に、前記位置登録情報記憶部において記憶されている情報に基づいて特定される交換機に対して前記移動機へのページングを指示するページング処理部と、前記移動機へのページングを指示した交換機から、前記ページングに対して前記移動機からの応答があったことを示す信号を受信した場合に、前記位置登録処理部における前記位置登録要求信号に基づいた前記移動機に係る位置登録処理を中止する位置登録処理中止部と、を含む。
【０００９】
上記の通信制御装置によれば、位置登録情報記憶部において移動機に対応付けられて記憶されている交換機とは異なる交換機から位置登録要求信号を受信した場合には、位置登録情報記憶部において記憶された交換機に対して、当該移動機のページングを指示する。そして、ページングに対する移動機からの応答があった場合には、位置登録処理が中止される。通信制御装置がこのような構成を備えることで、例えば、移動機に関する不正な位置登録要求信号が送信された場合に、移動機へのページングが可能な状況である場合には、不正な位置登録要求に基づく処理を拒否することができる。したがって、不正な位置登録要求に基づいて位置登録が行われ通信接続が確立されることを防ぐことが可能となる。
【発明の効果】
【００１０】
本発明によれば、移動機からの不正な位置登録要求に基づいた通信を防止することが可能な通信制御装置が提供される。
【図面の簡単な説明】
【００１１】
【図１】本実施形態に係る通信制御装置であるＨＳＳ／ＨＬＲを含む通信システムのシステム構成図である。
【図２】ＨＳＳ／ＨＬＲについて第１の方法を実行するための機能ブロック図である。
【図３】ＨＳＳ／ＨＬＲの位置登録情報記憶部において記憶される情報の例を示す図である。
【図４】通信システムによる第１の方法に係る処理の流れを説明するシーケンス図である。
【図５】ＨＳＳ／ＨＬＲによる在圏消去の判定に係るフローチャートである。
【図６】ＨＳＳ／ＨＬＲについて第２の方法を実行するための機能ブロック図である。
【図７】ＨＳＳ／ＨＬＲのページング処理部において保持する情報の例を示す図である。
【図８】通信システムによる第２の方法に係る処理の流れを説明するシーケンス図である。
【図９】ＨＳＳ／ＨＬＲによる位置登録処理の継続の判定に係るフローチャートである。
【図１０】本実施形態に係るＨＳＳ／ＨＬＲのハードウェア構成の一例を示す図である。
【発明を実施するための形態】
【００１２】
以下、添付図面を参照して、本発明を実施するための形態を詳細に説明する。なお、図面の説明においては同一要素には同一符号を付し、重複する説明を省略する。
【００１３】
図１は、本発明の実施形態に係る通信制御装置を含む通信システムのシステム構成を示す図である。図１に示す通信システム１は、移動通信端末である移動機４０が通信を行うためのシステムである。本実施形態では、移動機４０が第１エリアＡ１においてホームネットワーク（ＮＷ）に対して通信接続可能な移動機である場合に、不正な処理を行う移動通信端末（不正端末）である移動機５０が移動機４０を装って第２エリアＡ２においてホームＮＷを利用した通信接続を行おうとしている状態を示している。本実施形態に係る通信システム１では、ホームＮＷに設けられる通信制御装置であるＨＳＳ／ＨＬＲ１０が、不正端末である移動機５０によるホームＮＷを利用した通信接続を防止する場合について説明する。
【００１４】
図１に示すように、通信システム１は、ＨＳＳ／ＨＬＲ（Home  Subscriber  Server  /  Home  Location  Server）１０、第１交換機２０、第２交換機３０、移動機４０、５０を含んで構成される。
【００１５】
ＨＳＳ／ＨＬＲ１０は、ホームＮＷにおいて、移動機の契約情報、認証情報、及び在圏情報を管理する加入者情報管理サーバ（加入者情報管理データベース）である。また、本実施形態では、ＨＳＳ／ＨＬＲ１０は、位置登録要求を送信した移動機が不正な端末であるか否かを判定して、その結果に基づいて位置登録要求に係る処理を行う機能を有する。すなわち、ＨＳＳ／ＨＬＲ１０は、本実施形態における通信制御装置として機能する。ＨＳＳ／ＨＬＲ１０が行う処理の詳細については後述する。
【００１６】
第１交換機２０及び第２交換機３０は、移動機が通信を行う際の交換機として機能する装置である。本実施形態では、第１交換機２０は、第１エリアに在圏する移動機が通信を行う際の交換機である。また、第２交換機３０は、第２エリアに在圏する移動機が通信を行う際の交換機である。これらの第１交換機２０及び第２交換機３０は、移動機が通信を行う際の位置登録要求をＨＳＳ／ＨＬＲ１０に対して送信すると共に、移動機に係る認証処理及び位置登録処理に必要な情報の送受信を行う機能を有する。
【００１７】
なお、第１エリア及び第２エリアは、ホームＮＷにより形成されるエリアであってもよいし、他の通信ネットワークにより形成されるエリアであってもよい。例えば、第１エリアはホームＮＷにより形成されるエリアであって、第２エリアは他の通信ネットワークにより形成されるエリアであってもよい。この場合、他の通信ネットワークにおける第２エリアに在圏する移動機とは、ローミングにより他の通信ネットワークにローミングアウトした移動機となる。すなわち、第２エリアに対応する位置の移動機は、他の通信ネットワークにおいて形成された第２エリアに設けられた第２交換機３０を経由して、ホームＮＷのＨＳＳ／ＨＬＲ１０に対して位置登録要求を送信することになる。
【００１８】
移動機４０，５０は、例えば、スマートフォン及びタブレット端末等の通信機能を有し、ユーザにより使用される端末装置である。本実施形態では、移動機４０が正規端末であり、移動機５０は不正端末であるとする。不正端末とは、他の端末を装ってホームＮＷに対して通信接続を行おうとする通信端末のことである。以下の実施形態では、移動機５０が正規端末である移動機４０を装ってホームＮＷに対して通信接続を行おうとする場合について説明する。
【００１９】
ここで、図１を参照しながら通信システム１において不正端末をどのように検知して不正端末による通信接続を防ぐかについて説明する。正規端末である移動機４０が第１エリアに在圏している場合に、不正端末である移動機５０が移動機４０を装って第２エリアからホームＮＷに対して通信接続を行おうとしたとする。正規端末である移動機４０がホームＮＷに対して通信接続を行う場合、第１交換機２０を介してＨＳＳ／ＨＬＲ１０に対して位置登録要求を送信する。ホームＮＷにおいて移動機４０の位置登録を行う場合には、まず、移動機４０が正規端末であるか否かを確認するための認証処理を行う。正規端末である移動機４０では認証に必要な情報を保持しているため、当該情報の送受信を行う。認証の結果は、移動機と通信を行う交換機からＨＳＳ／ＨＬＲ１０に対して送信される。ホームＮＷ側のＨＳＳ／ＨＬＲ１０では、移動機４０に係る認証が成功した場合には、当該端末に係る位置登録処理を行ってよいと判断し、移動機４０に係る位置登録処理を行う。この結果、移動機４０は第１交換機２０を介してＨＳＳ／ＨＬＲ１０において位置登録され、ホームＮＷを利用した通信が可能な状態となる。
【００２０】
一方、不正端末である移動機５０が移動機４０を装ってホームＮＷに対して通信接続を行う場合、第２交換機３０を介してＨＳＳ／ＨＬＲ１０に対して位置登録要求を行う。次に、移動機５０が正規端末であるか否かを確認するための認証処理を行う。ここで、移動機５０が不正端末である場合、移動機４０としての認証に必要な情報を移動機５０が保持しておらず、認証が失敗する。認証の結果は、移動機と通信を行う交換機からＨＳＳ／ＨＬＲ１０に対して送信される。ホームＮＷ側のＨＳＳ／ＨＬＲ１０では、移動機５０に係る認証が失敗した場合には当該端末が不正端末であると判断して位置登録を拒否し、処理を中止する。この結果、移動機５０は、移動機４０を装ってのホームＮＷを利用した通信ができない状態となる。
【００２１】
このように、従来から、ホームＮＷ側では、不正端末が正規端末を装って位置登録要求をした場合に、認証の成功・失敗に基づいて移動機が正規端末であるか否かを判定する構成を有している。
【００２２】
しかしながら、上記の認証結果に基づいた従来の位置登録可否判断では不正端末を十分に排除できないことが考えられる。例えば、移動機に係る認証処理の結果は交換機からＨＳＳ／ＨＬＲに対して送信されるが、交換機がＨＳＳ／ＨＬＲに対して通知をしないと、ＨＳＳ／ＨＬＲでは移動機の認証に失敗したことを把握できない。すなわち、認証を行っている端末が不正端末であるか否かを判断することができない。従来のシステム構成では、移動機に係る認証の結果として認証の失敗が通知されない限り、ＨＳＳ／ＨＬＲでは対象の移動機が不正端末であるという判断をしない状態となっている。したがって、認証の失敗が交換機から通知されない場合には、ＨＳＳ／ＨＬＲにおいて以降の位置登録処理を継続する可能性がある。また、交換機によっては、認証の結果をＨＳＳ／ＨＬＲに対して通知するタイミングが遅くなることにより、認証が失敗したことをＨＳＳ／ＨＬＲが把握しないまま、位置登録処理を行ってしまう可能性も考えられる。
【００２３】
また、移動機に係る認証処理の結果に関係なく、交換機から認証が成功した旨の通知が一律に行われる可能性も考えられる。この場合、ＨＳＳ／ＨＬＲでは、認証が成功した旨の通知に基づいて位置登録処理を継続する可能性がある。交換機としての本来の機能に基づけば、交換機は移動機に係る認証の結果を適切に通知することが求められる。しかしながら、ホームＮＷ側で十分に管理できない交換機、例えばローミングアウト先の通信ネットワークが提供する交換機等を経由した通信の場合には、ホームＮＷ側で想定している仕様とは異なる仕様の交換機が用いられる可能性も考えられる。
【００２４】
そこで、本実施形態に係る通信システム１では、ホームＮＷ側のＨＳＳ／ＨＬＲ１０では、認証の結果が適切に受信できなかった場合にも、移動機からの不正な位置登録要求に基づいた通信を防止することが可能な構成を実現している。以下の実施形態では、移動機からの不正な位置登録要求に基づいた通信を防止するための構成として２つの手法を説明する。第１の方法は、認証が失敗したことをＨＳＳ／ＨＬＲ１０が把握しないまま位置登録処理を行った場合に、認証が失敗したことを示す通知を受領した時点で位置登録情報を消去する処理を行うことを特徴とする。また、第２の方法は、認証が成功した場合であっても、移動機からの位置登録要求が前回の位置登録時とは異なるエリアから送信されている場合には、前回の位置登録時のエリアに対してページングを行うことを特徴とする。以下、それぞれ説明する。
【００２５】
（第１の方法）
第１の方法では、認証が失敗したことをＨＳＳ／ＨＬＲ１０が把握しないまま位置登録処理を行った場合に、認証が失敗したことを示す通知を受領した時点で位置登録情報を消去する処理を行う。すなわち、ＨＳＳ／ＨＬＲ１０は、移動機に係る位置登録処理が完了している場合でも、当該移動機に係る認証が失敗したことを示す通知を交換機から受信した場合には、位置登録情報を消去し、当該移動機の在圏を拒否する。
【００２６】
このため、第１の方法を実行するＨＳＳ／ＨＬＲ１０は図２の機能ブロック図に示すような機能を有する。すなわち、ＨＳＳ／ＨＬＲ１０は、通信部１１（位置登録要求受信部、認証結果受信部）、位置登録処理部１２（認証指示部、位置登録処理部）、位置登録情報記憶部１３、在圏判断部１４（位置登録情報消去部）、在圏消去処理部１５（位置登録情報消去部）を含んで構成される。
【００２７】
通信部１１は、第１交換機２０、第２交換機３０等の交換機から送信される移動機に係る位置登録要求の信号を受信する機能を有する。また、通信部１１は、位置登録に関して必要な信号の送受信を行う機能を有する。通信部１１が受信する信号には、交換機から送信される移動機に係る認証の結果を示す信号も含まれる。
【００２８】
位置登録処理部１２は、通信部１１が受信した交換機から送信される移動機の位置登録要求に基づいて、移動機の位置登録に係る処理を行う。位置登録処理自体は既存の処理であり、位置登録処理部１２は既存の処理を行うことで移動機に係る位置登録を行う。また、位置登録処理部１２は、移動機の位置登録に係る処理として、移動機の認証を実施するように交換機に指示する機能も有する。
【００２９】
位置登録情報記憶部１３は、位置登録処理部１２において行われた移動機の位置登録に係る情報を記憶する機能を有する。図３は、位置登録情報記憶部１３において記憶される情報の一部を示している。図３に示すように、位置登録情報記憶部１３では、移動機を特定する情報（例えば、ＩＭＳＩ：International  Mobile  Subscriber  Identity、電話番号等）と、当該移動機が在圏する（位置登録した）エリアを示す情報（図３では、位置登録の際に経由した交換機を特定する情報）とを対応付けた情報を記憶している。なお、位置登録情報記憶部１３では、上記の情報だけではなく、例えば契約情報等も移動機を特定する情報に対応付けて記憶されていてもよいが、本実施形態では記載を省略する。
【００３０】
在圏判断部１４は、通信部１１が移動機に係る認証失敗の信号を交換機から受信した際に、既に当該移動機が位置登録済であるか（在圏済であるか）を判断する機能を有する。在圏判断部１４は、認証の失敗を示す信号を受信した対象の移動機に係る位置登録が済んでいるかを、位置登録情報記憶部１３に記憶される情報に基づいて判断する。在圏判断部１４において、当該移動機に係る位置登録がなされていない（在圏していない）と判断した場合には、通常の処理通りに当該移動機に係る位置登録に係る処理を中止する。一方、在圏判断部１４において、当該移動機に係る位置登録が済んでいる（在圏済である）と判断した場合には、在圏消去処理部１５において当該移動機に係る処理を行う。
【００３１】
在圏消去処理部１５は、在圏判断部１４において、当該移動機に係る位置登録が済んでいる（在圏済である）と判断された移動機に関して、在圏消去を行う、すなわち、位置登録情報を消去する機能を有する。具体的には、位置登録情報記憶部１３に記憶される情報を更新すると共に、位置登録情報が消去された旨を移動機に対して通知する。この通知を受けた移動機は、位置登録情報が削除されるため、再度位置登録を行わない限りホームＮＷを介した通信を行うことができなくなる。
【００３２】
上記のＨＳＳ／ＨＬＲ１０を含む通信システム１による一連の処理について、図４及び図５を参照しながら説明する。図４は、通信システム１による処理の流れを説明するシーケンス図である。また、図５は、ＨＳＳ／ＨＬＲ１０による在圏消去の判定に係るフローチャートである。
【００３３】
まず、前提として、正規端末である移動機４０及び不正端末である移動機５０が図１に示すエリアに滞在しているとする。そして、移動機４０がＨＳＳ／ＨＬＲ１０に対して位置登録をした後に、移動機５０が移動機４０を装って位置登録を試みた場合について説明する。
【００３４】
まず、正規端末である移動機４０が位置登録を要求する信号（Location  Update）を第１交換機２０に対して送信する（Ｓ０１）。位置登録を要求する信号には、自機（移動機４０）を特定する情報が含まれる。第１交換機２０は、移動機４０からの要求に基づいて、ＨＳＳ／ＨＬＲ１０に対して移動機４０の位置登録要求信号（MAP_SAI）を送信する（Ｓ０２）。この位置登録要求信号には、移動機４０を特定する情報と、第１交換機２０を特定する情報とが含まれる。ＨＳＳ／ＨＬＲ１０は、通信部１１において当該信号を第１交換機２０から受信すると、位置登録処理部１２において位置登録に関する処理として、移動機４０の認証に係る処理を開始する（Ｓ０３）。そして、ＨＳＳ／ＨＬＲ１０の通信部１１から第１交換機２０に対して、移動機４０の認証を行うための指示信号（MAP_SAI.ack）が送信される（Ｓ０４）。第１交換機２０は、ＨＳＳ／ＨＬＲ１０からの指示に基づいて、移動機４０との間で通信を行って認証を実施する（Ｓ０５）。この通信の結果、第１交換機２０において移動機４０に係る認証が成功すると（Ｓ０６）、この結果を示す信号（MAP_UL）が第１交換機２０からＨＳＳ／ＨＬＲ１０に対して送信される（Ｓ０７）。この信号は、位置登録処理の継続を要求する信号である。したがって、ＨＳＳ／ＨＬＲ１０では、位置登録処理部１２において移動機４０に係る位置登録処理を行った後、位置登録処理が完了した旨を第１交換機２０に対して通知（MAP_UL.ack）する（Ｓ０８）。第１交換機２０は、移動機４０に対して位置登録処理が完了したことを通知（Location  Update.ack）する（Ｓ０９）。以上の処理により、ＨＳＳ／ＨＬＲ１０の位置登録情報記憶部１３には、移動機４０が第１交換機２０の管轄する第１エリアに在圏することを示す情報が登録される。
【００３５】
次に、不正端末である移動機５０が第２エリアから移動機４０を装って位置登録要求を行ったとする。移動機５０は、正規端末である移動機４０を装って、移動機４０が位置登録を要求する信号（Location  Update）を第２交換機３０に対して送信する。移動機５０は、移動機４０を装っているので、自機（移動機５０）を特定する情報ではなく、移動機４０を特定する情報が含まれる信号を第２交換機３０に対して送信する（Ｓ１１）。第２交換機３０は、移動機５０から送信される要求に基づいて、ＨＳＳ／ＨＬＲ１０に対して、移動機４０に係る位置登録要求信号（MAP_SAI）を送信する（Ｓ１２）。この位置登録要求信号には、移動機４０を特定する情報と、第２交換機３０を特定する情報とが含まれる。ＨＳＳ／ＨＬＲ１０の通信部１１は、当該信号を第２交換機３０から受信すると、位置登録処理部１２において、位置登録処理部１２において位置登録に関する処理として、移動機４０の認証に係る処理を開始する（Ｓ１３）。そして、ＨＳＳ／ＨＬＲ１０の通信部１１から第２交換機３０に対して、認証を行うための指示信号（MAP_SAI.ack）が送信される（Ｓ１４）。第２交換機３０は、ＨＳＳ／ＨＬＲ１０からの指示に基づいて、移動機５０との間で通信を行って認証を実施する（Ｓ１５）。ただし、移動機５０は、移動機４０を装って位置登録要求を送信しているので、ここでは移動機４０の認証に係る通信が行われる。したがって、移動機５０との通信では、当然ながら移動機４０に係る認証は失敗する（Ｓ１６）。
【００３６】
しかしながら、第２交換機３０がこの認証が失敗したことをＨＳＳ／ＨＬＲ１０へ通知をする前に、位置登録処理の継続を要求する信号（MAP_UL）を送信したとする（Ｓ１７）。この場合、ＨＳＳ／ＨＬＲ１０では、移動機４０（を装った移動機５０）の認証に問題がなかったと判断し、位置登録処理部１２において移動機４０に係る位置登録処理を行う。その後、位置登録処理が完了した旨を第２交換機３０に対して通知（MAP_UL.ack）する（Ｓ１８）。第２交換機３０は、移動機４０を装った移動機５０に対して、位置登録処理が完了したことを通知（Location  Update.ack）する（Ｓ１９）。以上の処理により、ＨＳＳ／ＨＬＲ１０の位置登録情報記憶部１３には、移動機４０が第２交換機３０の管轄する第２エリアに在圏することを示す情報が登録され、移動機４０を装った移動機５０がホームＮＷを介した通信を行うことができる状況となってしまう。
【００３７】
一方、移動機４０（を装った移動機５０）に係る位置登録処理が行われた後に、第２交換機３０からＨＳＳ／ＨＬＲ１０に対して移動機４０（を装った移動機５０）に係る認証が失敗したことを示す情報（MAP_AFR）が通知されたとする（Ｓ２０）。従来のＨＳＳ／ＨＬＲでは、位置登録処理が完了している移動機に関する認証失敗の通知が来た場合であっても、特別な処理を行うことがなかった。これに対して、本実施形態に係るＨＳＳ／ＨＬＲ１０では、位置登録済みの移動機４０（を装った移動機５０）に係る位置登録情報を消去するか否かの判定（在圏消去判定）を行う（Ｓ２１）ことを特徴とする。
【００３８】
ＨＳＳ／ＨＬＲ１０における在圏消去判定（Ｓ２１）は、具体的には、図５に示すフローチャートに沿って行われる。まず、認証が失敗したことを示す信号が交換機（本実施形態では第２交換機３０）から送信され、ＨＳＳ／ＨＬＲ１０の通信部１１にて受信した（Ｓ３１）場合、ＨＳＳ／ＨＬＲ１０の在圏判断部１４において、認証が失敗した対象の移動機４０が、認証を失敗した信号を送信した交換機のエリアに在圏済みであるかを判断する（Ｓ３２）。本実施形態では、第２交換機３０からの信号に基づいて移動機４０に係る位置登録を行っているため、移動機４０が第２交換機３０の第２エリアに在圏していることを示す情報が位置登録情報記憶部１３に記憶されているかに基づいて、上記の判断を行う。この結果、移動機４０が既に第２エリアに在圏済である場合（Ｓ３２−ＹＥＳ）には、認証が失敗したにもかかわらず移動機４０が在圏している状態となっていることを示す。したがって、在圏判断部１４の判断結果に基づいて、在圏消去処理部１５によって、移動機４０に係る在圏情報、すなわち、位置登録情報記憶部１３に記憶されている情報を消去する処理を行う（Ｓ３３）。この結果、ＨＳＳ／ＨＬＲ１０の位置登録情報記憶部１３からは、移動機４０が第２交換機３０の管轄する第２エリアに在圏することを示す情報が消去されるため、移動機４０を装った移動機５０がホームＮＷを介した通信を行うことが防がれる。
【００３９】
なお、在圏判断部１４による判断の結果、移動機４０が第２エリアに在圏していない場合（Ｓ３２−ＮＯ）には、通常通りに認証の結果に基づいて処理を行うことで、移動機５０が移動機４０を装ってホームＮＷを介した通信を行うことを防ぐことができる。このため、ＨＳＳ／ＨＬＲ１０は、既存処理（Ｓ３４）を行う。
【００４０】
図４に示す例の場合には、移動機４０が既に第２エリアに在圏済である場合（Ｓ３２−ＹＥＳ）に相当する。したがって、位置登録情報記憶部１３に記憶されている情報が消去される。そして、その在圏情報を消去したことを示す信号（MAP_CL）が、第２交換機３０に対して送信される（Ｓ２２）。この信号に基づいて、第２交換機３０は、移動機４０を装った移動機５０による通信接続の継続が防がれる。
【００４１】
なお、上記の一連の処理の結果、移動機４０の位置登録情報がＨＳＳ／ＨＬＲ１０の位置登録情報記憶部１３から消去されてしまう。したがって、正規端末である移動機４０が第１交換機２０に対応する第１エリアに在圏している情報についても消去されることになる。したがって、移動機４０も位置登録情報がＨＳＳ／ＨＬＲ１０に登録されていない状態となるが、移動機４０についてはその後の何らかのタイミング（例えば、移動機４０側で通信接続が必要となったタイミング）で改めて正規の処理により位置登録を行うことで、通信接続を再開することができる。
【００４２】
このように、ＨＳＳ／ＨＬＲ１０は、移動機に係る認証が失敗したことを示す信号を受信した際に、在圏判断部１４において当該移動機が認証を失敗したことを示す信号を送信した交換機に対応するエリアに在圏するか否かを判断し、移動機が当該エリアに在圏している場合には、在圏消去処理部１５によって移動機に係る位置登録情報を消去する構成とされている。ＨＳＳ／ＨＬＲ１０がこのような構成を備えることで、不正端末が位置登録されてしまった場合でも、当該移動機に係る認証が失敗したことを示す信号の受信を契機として、在圏情報を消去することが可能となるため、不正端末の通信接続が継続されることを防ぐことが可能となる。
【００４３】
なお、上記の説明では、不正端末である移動機５０は、正規端末である移動機４０が接続する第１交換機２０とは異なる第２交換機３０を介して位置登録要求を送信しているが、正規端末である移動機４０と不正端末である移動機５０とが同一の交換機の配下に在圏した場合であっても、適用することができる。つまり、移動機５０が移動機４０を装って位置登録要求を送信した場合、移動機５０に係る認証は失敗するため、失敗したことを示す信号が交換機からＨＳＳ／ＨＬＲ１０に対して送信される。したがって、ＨＳＳ／ＨＬＲ１０は、移動機４０を装った移動機５０に係る認証が失敗した時点で、移動機４０に係る位置登録に係る情報を消去することで、移動機５０が通信を継続することは不可能となる。ただし、正規端末である移動機４０の通信接続も不能となるため、移動機４０が改めて位置登録要求を行う必要がある。
【００４４】
（第２の方法）
第２の方法では、認証が成功した場合であっても、移動機からの位置登録要求が前回の位置登録時とは異なるエリアから送信されている場合には、前回の位置登録時のエリアに対してページングを行い、ページング結果に基づいて位置登録処理を継続するか否かを判断する。すなわち、ＨＳＳ／ＨＬＲ１０は、前回の位置登録時のエリアに移動機（正規端末）が依然として在圏している場合には、ＨＳＳ／ＨＬＲ１０が受信した新たな位置登録要求は不正な要求であると判断して、位置登録処理を中止する。
【００４５】
このため、第２の方法を実行するＨＳＳ／ＨＬＲ１０は図６の機能ブロック図に示すような機能を有する。すなわち、ＨＳＳ／ＨＬＲ１０は、通信部１１（位置登録要求受信部）、位置登録処理部１２、位置登録情報記憶部１３、在圏判断部１４（位置登録処理中止部）、及び、ページング処理部１６を含んで構成される。このうち、通信部１１、位置登録処理部１２、及び、位置登録情報記憶部１３は、図２で示した第１の方法を行うことができるＨＳＳ／ＨＬＲ１０と同様の処理を行う機能ブロックであるので、説明を省略する。
【００４６】
在圏判断部１４は、第１の方法を行うことができるＨＳＳ／ＨＬＲ１０にも含まれる機能部であるが、移動機の在圏を判断するための処理が異なる。第２の方法では、在圏判断部１４は、位置登録要求を送信した移動機が、前回の位置登録時のエリアに在圏しているかを確認する機能を有する。前回の位置登録時のエリアにも位置登録要求を送信した移動機が在圏していると判断される場合、新たに位置登録要求を送信した移動機は不正な端末であると判断することができる。在圏判断部１４により、新たな位置登録要求が不正な端末からの不正な位置登録要求であると判断した場合、在圏判断部１４は、位置登録処理部１２による位置登録要求に基づいた処理を中止させる。したがって、位置登録処理部１２による位置登録処理は中断され、位置登録は行われないこととなる。
【００４７】
ページング処理部１６は、在圏判断部１４からの指示に基づき、位置登録要求を送信した移動機が前回の位置登録した際に在圏していたエリアに対してページングを行い、移動機が当該エリアに在圏しているかを確認する機能を有する。移動機が当該エリアに在圏している場合には、移動機はＨＳＳ／ＨＬＲ１０のページング処理部１６からのページングに対して応答する。一方、移動機は当該エリアに既に在圏していない場合には、移動機はＨＳＳ／ＨＬＲ１０のページング処理部１６からのページングに対して応答しない。ページング処理部１６では、所定時間の間に移動機からの応答があるかを確認し、その結果を在圏判断部１４に対して通知する機能を有する。上記のような制御を行うために、ページング処理部１６では、図７に示すようなページング中の移動機を管理するための表（情報）を個別に保持していてもよい。
【００４８】
次に、第２の方法を用いた一連の処理について、図８及び図９を参照しながら説明する。図８は、通信システム１による処理の流れを説明するシーケンス図である。また、図９は、ＨＳＳ／ＨＬＲ１０による位置登録処理の継続の判定に係るフローチャートである。
【００４９】
前提は第１の方法と同じである。すなわち、正規端末である移動機４０及び不正端末である移動機５０が図１に示すエリアに滞在しているとする。そして、移動機４０がＨＳＳ／ＨＬＲ１０に対して位置登録をした後に、移動機５０が移動機４０を装って位置登録を試みた場合について説明する。
【００５０】
正規端末である移動機４０による位置登録の処理は、第１の方法と同じであるため、説明を簡単に行う。正規端末である移動機４０が位置登録を要求する信号（Location  Update）を第１交換機２０に対して送信する（Ｓ０１）。第１交換機２０は、移動機４０からの要求に基づいて、ＨＳＳ／ＨＬＲ１０に対して移動機４０の位置登録要求信号（MAP_SAI）を送信する（Ｓ０２）。ＨＳＳ／ＨＬＲ１０は、通信部１１において当該信号を第１交換機２０から受信すると、移動機４０の認証に係る処理を開始する（Ｓ０３）。ＨＳＳ／ＨＬＲ１０の通信部１１から第１交換機２０に対して、認証を行うための指示信号（MAP_SAI.ack）が送信される（Ｓ０４）。第１交換機２０は、ＨＳＳ／ＨＬＲ１０からの指示に基づいて、移動機４０との間で通信を行って認証を実施する（Ｓ０５）。この通信の結果、第１交換機２０において移動機４０に係る認証が成功すると（Ｓ０６）、この結果を示す信号（MAP_UL）が第１交換機２０からＨＳＳ／ＨＬＲ１０に対して送信される（Ｓ０７）。ＨＳＳ／ＨＬＲ１０では、位置登録処理部１２において移動機４０に係る位置登録処理を行った後、位置登録処理が完了した旨を第１交換機２０に対して通知（MAP_UL.ack）する（Ｓ０８）。第１交換機２０は、移動機４０に対して位置登録処理が完了したことを通知（Location  Update.ack）する（Ｓ０９）。以上の処理により、ＨＳＳ／ＨＬＲ１０の位置登録情報記憶部１３には、移動機４０が第１交換機２０の管轄する第１エリアに在圏することを示す情報が登録される。
【００５１】
次に、不正端末である移動機５０が第２エリアから移動機４０を装って位置登録要求を行ったとする。移動機５０は、正規端末である移動機４０を装って、移動機４０が位置登録を要求する信号（Location  Update）を第２交換機３０に対して送信する。移動機５０は、移動機４０を装っているので、自機（移動機５０）を特定する情報ではなく、移動機４０を特定する情報が含まれる信号を第２交換機３０に対して送信する（Ｓ４１）。第２交換機３０は、移動機５０から送信される要求に基づいて、ＨＳＳ／ＨＬＲ１０に対して、移動機４０に係る位置登録要求信号（MAP_SAI）を送信する（Ｓ４２）。この位置登録要求信号には、移動機４０を特定する情報と、第２交換機３０を特定する情報とが含まれる。ＨＳＳ／ＨＬＲ１０の通信部１１は、当該信号を第２交換機３０から受信すると、位置登録処理部１２において、位置登録処理部１２において位置登録に関する処理として、移動機４０の認証に係る処理を開始する（Ｓ４３）。そして、ＨＳＳ／ＨＬＲ１０の通信部１１から第２交換機３０に対して、認証を行うための指示信号（MAP_SAI.ack）が送信される（Ｓ４４）。第２交換機３０は、ＨＳＳ／ＨＬＲ１０からの指示に基づいて、移動機５０との間で通信を行って認証を実施する（Ｓ４５）。ただし、移動機５０は、移動機４０を装って位置登録要求を送信しているので、ここでは移動機４０の認証に係る通信が行われる。したがって、移動機５０との通信では、当然ながら移動機４０に係る認証は失敗する（Ｓ４６）。
【００５２】
しかしながら、第２交換機３０がこの認証が失敗したことをＨＳＳ／ＨＬＲ１０へ通知をせずに、位置登録処理の継続を要求する信号（MAP_UL）を送信したとする（Ｓ４７）。第２の方法では、位置登録処理の継続を要求する信号（MAP_UL）をＨＳＳ／ＨＬＲ１０の通信部１１が受信した時点で、在圏判断部１４において、移動機４０に対してページングを行うか否かを判定し（Ｓ４８）、判定結果に基づいて以降の処理を変更する。この時点での処理について、図９を参照しながら説明する。
【００５３】
ＨＳＳ／ＨＬＲ１０の在圏判断部１４では、移動機４０に係る位置登録処理の継続を要求する信号を受信した（Ｓ６１）際に、移動機４０が前回の位置登録以降にエリアを跨ぐ移動をしているか否かを判断する。具体的には、在圏判断部１４では、位置登録要求信号及び位置登録処理の継続を要求する信号を送信した交換機が、前回当該位置登録要求を送信した際に在圏したエリアを管轄する交換機とは異なる交換機であるか否かを判断する（Ｓ６２）。前回位置登録した際に移動機４０がどのエリアに在圏していたか（すなわち、どの交換機が管轄するエリアにいたか）は、ＨＳＳ／ＨＬＲ１０の位置登録情報記憶部１３に記憶されている情報を参照すると分かる。したがって、この情報に基づいて、上記の判断を行う。本実施形態の場合、移動機４０の前回の位置登録に係る処理は第１交換機２０が行い、位置登録情報記憶部１３においても、第１エリア及び第１交換機２０を特定する情報が移動機４０を特定する情報に対応付けて記憶されている。これに対して、今回位置登録要求信号及び位置登録処理の継続を要求する信号を送信した交換機は第２交換機３０であるから、第１交換機２０とは異なる交換機が移動機４０に係る位置登録要求信号及び位置登録処理の継続を要求する信号を送信したことになる。
【００５４】
位置登録要求信号及び位置登録処理の継続を要求する信号を送信した交換機が、前回当該位置登録要求を送信した際に在圏したエリアを管轄する交換機と同じである場合（Ｓ６２−ＮＯ）、在圏判断部１４では移動機４０が移動していないと考えて、正常の応答を行い（Ｓ６３）、位置登録処理部１２において、移動機４０に係る位置登録処理を継続する。
【００５５】
一方、位置登録要求信号及び位置登録処理の継続を要求する信号を送信した交換機が、前回当該位置登録要求を送信した際に在圏したエリアを管轄する交換機とは異なる場合（Ｓ６２−ＹＥＳ）、在圏判断部１４は、ページング処理部１６に対して指示し、前回位置登録処理を行ったエリアを管轄する交換機、すなわち、第１交換機２０に対して移動機４０を特定したページングを指示する（Ｓ６４）。そして、ページング処理部１６は、移動機４０からの応答を所定時間（例えば、数秒）待機し、第１交換機２０からのページングに対する移動機４０の応答の有無を確認する（Ｓ６５）。ページング処理部１６の指示に基づく第１交換機２０のページングの結果、移動機４０から応答があった場合（Ｓ６５−ＹＥＳ）、移動機４０は第１交換機２０の管轄するエリアに在圏していることが確認される。したがって、この結果に基づいて、位置登録処理部１２は、処理を中止し、第２交換機３０に対して移動機４０（を装った移動機５０）に係る位置登録処理を拒否する（Ｓ６６）。一方、ページング処理部１６の指示に基づく第１交換機２０のページングの結果、移動機４０からの応答がない場合（Ｓ６５−ＮＯ）、移動機４０は第１交換機２０の管轄するエリアから移動していることが確認される。したがって、新たな位置登録要求は正規端末である移動機４０から送信されているものと判断し、正常の応答を行い（Ｓ６３）、位置登録処理部１２において、移動機４０に係る位置登録処理を継続する。
【００５６】
図８に示す例の場合には、位置登録要求信号及び位置登録処理の継続を要求する信号を送信した交換機が、前回当該位置登録要求を送信した際に在圏したエリアを管轄する交換機とは異なる場合（Ｓ６２−ＹＥＳ）に相当する。したがって、位置登録情報記憶部１３に記憶されている情報に基づいて、第１交換機２０に対して移動機４０のページングを指示する信号（MAP_PRN）を送信する（Ｓ４９）。第１交換機２０では、この信号に基づいて移動機４０に対するページング（paging）を実施する。本実施形態の場合は、移動機４０は第１交換機２０の配下に在圏するため、ページングに対して応答する（Ｓ５０）。第１交換機２０は、ページングに対して移動機４０から応答があった旨を示す信号（MAP_PRN.ack）をＨＳＳ／ＨＬＲ１０に対して送信する（Ｓ５１）。ＨＳＳ／ＨＬＲ１０では、移動機４０からページングに対する応答があったことに基づいて、第２交換機３０から送信された移動機４０（を装った移動機５０）からの位置登録要求は不正なものであると判断し、位置登録処理部１２における処理を中止すると共に第２交換機３０に対して位置登録を拒否する旨を通知する信号（MAP_UL.neg.res）を送信する（Ｓ５２）。第２交換機３０は、移動機４０を装った移動機５０に対して、位置登録が拒否された旨を通知する信号（Attach  Reject）を送信する（Ｓ５３）。これにより、ＨＳＳ／ＨＬＲ１０では、移動機４０を装った移動機５０が第２交換機３０を介して通信接続を行うことを防ぐことができる。
【００５７】
このように、ＨＳＳ／ＨＬＲ１０は、移動機に係る認証が失敗したことを示す信号を受信しない場合に、前回位置登録を行った際に経由した交換機（第１交換機２０）とは異なる交換機（第２交換機３０）から位置登録要求信号を受信した場合には、前回位置登録を行った際に経由した交換機に対して、当該移動機のページングを指示する。そして、ページングに対する移動機からの応答の有無に基づいて、位置登録処理を継続するか判断する構成を備える。ＨＳＳ／ＨＬＲ１０がこのような構成を備えることで、不正端末からの位置登録要求信号が送信された場合であっても、正規端末がページングに対して応答する場合には、不正端末からの位置登録要求に基づく処理を拒否することができる。したがって、正規端末が位置登録した交換機とは異なる交換機を経由した不正端末の位置登録要求に基づいてこの不正端末に係る通信接続が確立されることを防ぐことが可能となる。
【００５８】
なお、上記実施の形態の説明に用いた図２及び図６に記載のブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００５９】
例えば、本発明の一実施の形態におけるＨＳＳ／ＨＬＲ１０は、通信制御装置としての処理を実行するコンピュータとして機能してもよい。図１０は、本実施形態に係る通信制御装置に相当するＨＳＳ／ＨＬＲ１０のハードウェア構成の一例を示す図である。上述のＨＳＳ／ＨＬＲ１０は、物理的には、プロセッサ１００１、メモリ１００２、ストレージ１００３、通信装置１００４、入力装置１００５、出力装置１００６、バス１００７などを含むコンピュータ装置として構成されてもよい。
【００６０】
なお、以下の説明では、「装置」という文言は、回路、デバイス、ユニットなどに読み替えることができる。ＨＳＳ／ＨＬＲ１０のハードウェア構成は、図に示した各装置を１つ又は複数含むように構成されてもよいし、一部の装置を含まずに構成されてもよい。
【００６１】
ＨＳＳ／ＨＬＲ１０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００６２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、位置登録処理部１２などは、プロセッサ１００１で実現されてもよい。
【００６３】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ＨＳＳ／ＨＬＲ１０は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６４】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（ElectricallyErasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００６５】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の通信部１１などは、通信装置１００４で実現されてもよい。
【００６７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６８】
また、プロセッサ１００１やメモリ１００２などの各装置は、情報を通信するためのバス１００７で接続される。バス１００７は、単一のバスで構成されてもよいし、装置間で異なるバスで構成されてもよい。
【００６９】
また、ＨＳＳ／ＨＬＲ１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７０】
以上のように、本実施形態に係る通信制御装置によれば、第１の方法を実行した場合には、移動機に係る認証が失敗したことを示す信号を受信した際に、当該移動機が認証を失敗したことを示す信号を送信した交換機に対応するエリアに在圏するか否かを判断し、移動機が当該エリアに在圏している場合には、移動機に係る位置登録情報を消去する構成とされている。通信制御装置が上記のような構成を備えることで、不正な位置登録要求に基づいて、移動機の位置登録処理が進められてしまった場合でも、当該移動機に係る認証が失敗したことを示す信号の受信を契機として、位置登録に係る情報を消去することが可能となるため、不正な位置登録処理による移動機の通信接続が継続されることを防ぐことが可能となる。
【００７１】
また、本実施形態の通信制御装置が第２の方法を実行した場合には、位置登録情報記憶部において移動機に対応付けられて記憶されている交換機とは異なる交換機から位置登録要求信号を受信した場合には、位置登録情報記憶部において記憶された交換機に対して、当該移動機のページングを指示する。そして、ページングに対する移動機からの応答があった場合には、位置登録処理が中止される。通信制御装置がこのような構成を備えることで、例えば、移動機に関する不正な位置登録要求信号が送信された場合に、移動機へのページングが可能な状況である場合には、不正な位置登録要求に基づく処理を拒否することができる。したがって、不正な位置登録要求に基づいて位置登録が行われ通信接続が確立されることを防ぐことが可能となる。
【００７２】
なお、上記実施形態では、第１の方法と第２の方法とを区別して説明したが、一つの通信制御装置が、第１の方法と第２の方法との両方を実行可能であってもよい。すなわち、通信制御装置が、第２の方法のように、前回の位置登録が行われた交換機とは異なる交換機から、新たな位置登録要求を受信した際には、前回の位置登録が行われた交換機に対して移動機に対するページングを指示することで、移動機のエリアを跨いだ移動に基づく位置登録要求であるか否かを確認すると共に、第１の方法のように、認証失敗の結果を後から受信した場合には、位置登録処理が完了している場合であっても位置登録情報を消去する構成としてもよい。この場合、通信制御装置において、不正な位置登録要求に基づいた通信をより効果的に防止することが可能となる。
【００７３】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００７４】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC ConnectionReconfiguration）メッセージなどであってもよい。
【００７５】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７６】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７７】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００７８】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８０】
本明細書において特定の装置によって行われるとした特定動作は、場合によってはその上位ノード（upper  node）によって行われることもある。例えば、特定の装置がＨＳＳ／ＨＬＲであった場合においては、当該ＨＳＳ／ＨＬＲを有する１つまたは複数のネットワークノード（network  nodes）からなるネットワークにおいて、端末との通信のために行われる様々な動作は、ＨＳＳ／ＨＬＲおよび／またはＨＳＳ／ＨＬＲ以外の他のネットワークノードによって行われ得ることは明らかである。上記においてＨＳＳ／ＨＬＲ以外の他のネットワークノードが１つである場合を例示したが、複数の他のネットワークノードの組み合わせであってもよい。
【００８１】
情報等は、上位レイヤ(または下位レイヤ)から下位レイヤ(または上位レイヤ)へ出力され得る。複数のネットワークノードを介して入出力されてもよい。
【００８２】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８３】
判定は、１ビットで表される値（０か１か）によって行われてもよいし、真偽値（Boolean：trueまたはfalse）によって行われてもよいし、数値の比較（例えば、所定の値との比較）によって行われてもよい。
【００８４】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８７】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８８】
なお、本明細書で説明した用語及び／又は本明細書の理解に必要な用語については、同一の又は類似する意味を有する用語と置き換えてもよい。
【００８９】
本明細書で使用する「システム」および「ネットワーク」という用語は、互換的に使用される。
【００９０】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００９１】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００９２】
移動機（移動通信端末）は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９３】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００９４】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００９５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９６】
本明細書で「第１」、「第２」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００９７】
上記の各装置の構成における「部」を、「回路」、「デバイス」等に置き換えてもよい。
【００９８】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００９９】
本明細書において、文脈または技術的に明らかに１つのみしか存在しない装置である場合以外は、複数の装置をも含むものとする。
【０１００】
本開示の全体において、文脈から明らかに単数を示したものではなければ、複数のものを含むものとする。
【符号の説明】
【０１０１】
１…通信システム、１０…ＨＳＳ／ＨＬＲ、１１…通信部、１２…位置登録処理部、１３…位置登録情報記憶部、１４…在圏判断部、１５…在圏消去処理部、１６…ページング処理部、２０…第１交換機、３０…第２交換機、４０，５０…移動機。
【図１】
2018129591.tif 000003
【図２】
2018129591.tif 000004
【図３】
2018129591.tif 000005
【図４】
2018129591.tif 000006
【図５】
2018129591.tif 000007
【図６】
2018129591.tif 000008
【図７】
2018129591.tif 000009
【図８】
2018129591.tif 000010
【図９】
2018129591.tif 000011
【図１０】
2018129591.tif 000012